(57)【要約】【課題】本発明は、視力補償デバイスに対するカスタマイズパラメータの少なくとも１つの値を判定する方法に関する。【解決手段】本発明に従って、測定方法は、ａ）電子端末（２）を備えたユーザ（１）が、少なくとも１つの画像又は映像シーケンスを捕捉するステップと、ｂ）前記少なくとも１つの画像をリモートサポートセンタ（２２）に電気通信するステップと、ｃ）前記少なくとも１つの画像を処理して、捕捉された画像又は映像シーケンスを補正又は検証する命令をそこから導出するステップと、ｄ）リモートアシスタンスセンタ（２２）からユーザ（１）の端末（２）に、前記補正又は検証命令を電気通信するステップと、ｅ）端末を使用して、オーディオ又はビジュアルメッセージを表示又は発行するステップと、ｆ）検証された画像又は映像シーケンスが取得されるまで、先行のステップを繰り返すステップと、ｇ）前記少なくとも１つのカスタマイズパラメータの値を判定するステップとを含む。【選択図】図１
2016525916.tif 000002
【特許請求の範囲】
【請求項１】
グラフィカルインタフェース（３）と、画像センサを備えた画像捕捉装置（４）と、オーディオビジュアル通信手段（５）とを備える電子端末（２）を使用して、ユーザ（１）に対する視力矯正器具の個別化パラメータの少なくとも１つの値を判定する方法であって、
ａ）前記画像捕捉装置（４）によって、前記ユーザの少なくとも１つの画像又は映像シーケンスを捕捉するステップと、
ｂ）ステップａ）において捕捉された前記少なくとも１つの画像又は映像シーケンスを、前記電子端末（２）からリモートに位置するリモートアシスタンスセンタ（２２）に通信するステップであって、前記リモートアシスタンスセンタ（２２）は、少なくとも１つの検査端末（１２）を備える、ステップと、
ｃ）前記リモートアシスタンスセンタ（２２）によって、ステップｂ）において送信された前記少なくとも１つの画像又は映像シーケンスの処理を検査して、前記画像捕捉装置の前にいる前記ユーザの位置、姿勢、又は一連の動きに基づいて、それらから、捕捉された画像又は映像シーケンスの補正又は検証命令を推測するステップと、
ｄ）前記リモートアシスタンスセンタ（２２）から前記ユーザの前記電子端末（２）に、前記補正又は検証命令を通信するステップと、
ｅ）前記電子端末（２）が、前記画像若しくは映像シーケンスの捕捉の検証を前記ユーザに通知し、又は前記補正命令に従って、前記画像捕捉装置に対して前記ユーザ自身を位置決めさせ、若しくは移動させることを前記ユーザに要求する映像若しくは音声メッセージを表示若しくは発行するステップと、
ｆ）検証された画像又は映像シーケンスが取得されるまで、先行のステップを繰り返すステップと、
ｇ）前記捕捉及び検証された少なくとも１つの画像又は映像シーケンスに応じて、前記個別化パラメータの少なくとも１つの値を判定するステップと
を含む、方法。
【請求項２】
前記少なくとも１つの個別化パラメータは、
−  瞳孔間距離、又は左若しくは右の片眼瞳孔間距離パラメータと、
−  ユーザの顔の形状パラメータと、
−  ユーザの姿勢パラメータと、
−  前記ユーザの動的行動パラメータと、
−  メガネフレーム内の矯正レンズの中心化パラメータと、
−  前記フレームと関連付けられた基準枠内の瞳孔の中心の位置、又は目のＣＲＥを特徴付けるパラメータと、
−  交点パラメータ、例えば、レンズ−目距離と、
−  前記フレームの、前記器具の、顔内の前記レンズの、又は周囲の基準枠の位置又は傾きを特徴付けるパラメータ、例えば、顔の形状角度又は装用時前傾角と、
−  顔の基準枠内の前記フレームの調節パラメータと
のうちの１つを含む、請求項１に記載の方法。
【請求項３】
ステップｄ）において、前記リモートアシスタンスセンタ（２２）は、それぞれ、前記少なくとも１つの画像又は映像シーケンスが、前記求められる個別化パラメータの前記値の判定に少なくとも貢献するために十分である場合は検証命令を送出し、又は逆の場合は補正命令を送出する、請求項１又は２に記載の方法。
【請求項４】
ステップｄ）において、前記リモートアシスタンスセンタ（２２）は、前記画像捕捉装置の前の前記目の中心化位置、前記ユーザの姿勢、前記画像捕捉装置の前記画像センサに対する前記ユーザの一連の動き、又は検証された画像を取得するために前記端末によって提示され、及び着用者によって実行されるプロトコルへの適合性を補正する補正命令を送出する、請求項１〜３のいずれか一項に記載の方法。
【請求項５】
−  ステップａ）〜ｅ）の繰り返しの間、前記リモートアシスタンスセンタ（２２）によって送出された前記補正命令によって、前記ユーザに送出された前記メッセージが、一連の固視若しくは目の追跡、並びに／又は前記ユーザのフランクフルト水平面及び／若しくはサジタル平面が前記画像捕捉装置の光学軸の事前定義された角度に方向付けられる一連の姿勢を採用するか、又は検証された画像を取得するために前記端末によって提示されるプロトコルに従い、及びそれを実行するようにユーザを誘導し、
−  ステップａ）は、前記画像捕捉装置（４）が、前記リモートに検証される一連の姿勢における前記ユーザの映像シーケンスの映像記録をとることを含む、請求項１〜４のいずれか一項に記載の方法。
【請求項６】
前記画像捕捉装置（４）の前にいる前記ユーザの前記一連の姿勢によって、前記ユーザの前記フランクフルト水平面及び前記サジタル平面が、前記画像捕捉装置の前記光学軸に対して、事前定義された閾値よりも小さい角度をなし、及びステップｇ）において、瞳孔間距離又は片眼瞳孔間距離が算出される、請求項１〜５のいずれか一項に記載の方法。
【請求項７】
ステップｄ）において、音声−映像リモートアシスタンスは、好ましくは、前記ユーザの前記目に近接して位置する、既知のサイズの要素の少なくとも１つの画像を捕捉すること、又は瞳孔間距離がすでに既知であるユーザの瞳孔間距離を表す画像を捕捉すること、又は輻輳を矯正するために既知の読書距離を測定すること、又は少なくとも１つの事前定義された幾何学的寸法を有するフレームの画像を捕捉すること、を含む再スケーリング命令を前記ユーザに通信することを含む、請求項１〜６のいずれか一項に記載の方法。
【請求項８】
音声−映像リモートアシスタンスのステップｄ）は、以下のサブステップ：
−  前記リモートアシスタンスセンタが、前記ユーザの前記端末の前記グラフィカルインタフェースに、映像ストリーム又は既知の画像を送信するステップと、
−  前記映像ストリーム又は前記既知の画像に応答して、前記ユーザの前記顔又は少なくとも１つの目の画像を捕捉するステップと
を含む、請求項１〜７のいずれか一項に記載の方法。
【請求項９】
ステップｇ）は、前記判定された値を基準値と比較することによって、メガネフレームの幾何学的調節パラメータの値を検証するステップを含む、請求項１〜８のいずれか一項に記載の方法。
【請求項１０】
ステップｇ）は、読書距離、又は注視方向／前記頭がどの程度下がっているかを測定するステップを含む、請求項１〜９のいずれか一項に記載の方法。
【請求項１１】
ステップｅ）において前記端末によって発行された前記メッセージは、水平軸の周囲及び／又は垂直軸の周囲で、前記ユーザの頭を回転させることの前記ユーザに対する要求を含み、前記少なくとも１つの画像又は捕捉された映像シーケンスの前記処理は、前記画像内で、耳珠点などの前記ユーザの耳の目立った点を検出することを含む、請求項１〜１０のいずれか一項に記載の方法。
【請求項１２】
−  ステップａ）において、少なくとも１つの画像又は映像シーケンスの前記捕捉の間、前記ユーザはメガネフレームを備え、
−  前記端末によって発行された前記メッセージは、前記サジタル平面が前記画像捕捉装置の前記軸と位置合わせされる少なくとも１つの第１の姿勢、及び前記サジタル平面が前記画像捕捉装置の前記軸に対し非ゼロの角度になる少なくとも１つの第２の姿勢に前記ユーザがガイドされることを可能にし、並びに、
−  前記画像又は映像シーケンスは、前記２つの姿勢において検証される、
請求項１〜１１のいずれか一項に記載の方法。
【請求項１３】
複数の言語から前記ユーザに対する言語を選択する追加ステップを含み、検証及びユーザガイダンスメッセージの組が記録されており、各メッセージは、前記複数の言語のうちの前記言語の各々におけるそのオーディオビジュアルの実装に情報的に結び付けられ、前記メッセージは、前記リモートアシスタンスセンタによって送出された前記命令に応じて、及び前記ユーザによって選択された前記言語で、前記端末によって前記ユーザに送出される、請求項１〜１２のいずれか一項に記載の方法。
【請求項１４】
前記リモートアシスタンスセンタ（２２）によって、ステップｂ）において送信された前記少なくとも１つの画像又は映像シーケンスを処理するステップｃ）、及び／又は前記リモートアシスタンスセンタ（２２）から前記ユーザの前記電子端末（２）に、前記補正若しくは検証命令を通信するステップｄ）は、自動化システムによって実行される、請求項１〜１３のいずれか一項に記載の方法。
【請求項１５】
前記リモートアシスタンスセンタ（２２）によって、ステップｂ）において送信された前記少なくとも１つの画像又は映像シーケンスを処理するステップｃ）、及び／又は前記リモートアシスタンスセンタ（２２）から前記ユーザの前記電子端末（２）に、前記補正若しくは検証命令を通信するステップｄ）は、デジタル署名を処理する光学技術者（１１）によって実行される、請求項１〜１４のいずれか一項に記載の方法。
【発明の詳細な説明】
【技術分野】
【０００１】
本発明は概して、検眼の分野に関する。
【０００２】
それは特に、ユーザに対する視力矯正器具の少なくとも１つの個別化パラメータの値を判定する検眼方法に関する。本明細書では、「視力矯正器具」という表現は一般的に、メガネフレーム、及び少なくとも１つの単焦点又は多焦点レンズを備える視力矯正メガネを意味するものと理解される。１つ以上の個別化パラメータを判定することを意図する検眼測定は、矯正レンズの屈折面を設計及び製造すること、並びにそれらのレンズを、予測される使用条件（近見視力、遠見視力、及び／又は特定の活動の間の視力）に応じて、ユーザによって選択されるフレームに適合させることが要求される。
【背景技術】
【０００３】
ユーザの存在下で、視力矯正器具が個別化されることを可能にするパラメータの測定値をとるために正確な測定値の取得に専用化された１つ以上の検眼器具を検眼医が使用する、従来の検眼方法が公知である。さらに具体的に、従来の検眼方法は、個人に合わせられることになる特定のフレーム内で矯正レンズの適合を可能にするために、個別化パラメータを判定することを意図する。個別化パラメータは特に、瞳孔間距離、個人の顔の形状などの個人の形態（ｍｏｒｐｈｏｌｏｇｙ）、所与の姿勢における垂直線に対する頭の角度（ロール、ピッチ及びヤー）などの姿勢パラメータ、目の回転の光心に対するメガネフレーム内の矯正レンズの中心化若しくは位置決め、フレームの下縁に対する目の高さ、頂点（目とメガネレンズの内面との間の距離）、フレームの面の外形の角度、若しくは装用時前傾角、を特徴付けるパラメータなどの１つの視界姿勢から別への推移を特徴付ける動的行動パラメータ、並びに着用者の顔及び特定のメガネフレームに関連する幾何学的若しくは生理学的パラメータ、に関するパラメータを含む。レンズの装用時前傾角は、個人の自然な視界姿勢における、フレーム内で矯正レンズが保持される表面と垂直面との間の角度であるものとして定義される。
【０００４】
概して、製造後に個人の顔の調整を可能にするために、個人がメガネを着用していない間に個人の形態に関連する或る個別化パラメータが測定され、個人がメガネフレーム又は完成した矯正メガネを着用している間、他の個別化パラメータが判定される。
【０００５】
従来の検眼方法は概して、検眼医、ユーザ、１つ以上の検眼器具、及び矯正器具の間で、限られた時間続く相互作用を含み、それらの相互作用は、視力矯正器具の特性が、定義されることになるユーザの形態及び視力矯正要件に完全に適合されることを可能にする。
【０００６】
それらの検眼方法は複雑であり、且つ検眼医及び個別の検眼器具を訪問することを必要とする。加えて、数十分の限られた時間における或る測定値をとることが可能でない。特に、従来の検眼方法は概して、頭と、遠方視界姿勢から近方視界姿勢に通るために使用される注視との組み合わされた動きなど、ユーザの動きに関連する行動を考慮に入れない。それらの従来の方法は、例えば、遠方視界位置と近方視界位置との間の中間の視界位置を考慮に入れるために、ユーザが動いている間にとられる視力測定値を組み込まない。
【０００７】
長年にわたり、オンラインでメガネを購入することが可能になっている。供給業者は、様々な範囲のフレームをユーザに提供し、それらのフレームが、眼科の専門家によって事前に確立された視力矯正の規定に応じて定義されたレンズの選択と関連付けられている。デスクトップ、ラップトップ若しくはタブレットコンピュータ、及び画像処理ソフトウェアによって個別化パラメータを判定する簡易化された方法がまた提供される。この方法によって、ユーザが、検眼医を訪問する必要がなく、デスクトップ、ラップトップ、又はタブレットコンピュータを使用して個別化パラメータを評価することが可能になる。このタイプのメガネの個別化は概して、瞳孔間距離などのわずかな数のパラメータの概算の推定に限定される。よって、特許文献国際公開第２０１１／０６７４７８号パンフレット（ＪＭＣ  Ｄｅｌｏｒｔ）は、矯正メガネを作成することに関して測定値をとる方法及びデバイスを記載し、着用者とメガネを作成する専門家との間の直接的な物理的接触が存在しない。この方法は、クライアントが測定デバイスを装着している間にクライアントによってとられる測定値及び写真、並びにそれらの写真及び測定値を離れた位置に送信することに基づいている。
【０００８】
しかしながら、得られる視力矯正メガネの品質は概して、従来の検眼方法を使用して定義及び調整されたメガネよりもはるかに低い。特に、レンズのセンタリング誤り、及び瞳孔間距離誤差が観察される。それらの欠点は特に、個別化パラメータの測定誤りに起因する。一方で、ユーザは、カメラに対する位置をチェックする、自由に使用することができる手段を有さず（カメラと個人との間の距離は未知である）、よって、画像をスケーリングする必要がある。一方で、デスクトップ、ラップトップ、又はタブレットコンピュータのカメラは概して、画像を実質的に歪める。よって、統合カメラによって判定された視力補償メガネの個別化パラメータは、概して信頼することができない。それらの欠点は、ユーザの視力の不満足な矯正及び／又は視覚的不快感につながることがある。加えて、或るケースでは、ユーザは、正確な方法で（片眼瞳孔間距離、目の高さなどの正確な測定値など、の正確な測定値を取得するために）カメラを固定することが要求される。しかしながら、ユーザは、カメラと、スクリーンに表示される命令とを同時に観察することが不可能であることから、ユーザは支援なしに自身を正確に位置決めすることは困難である。特に、ユーザがスクリーンを見る場合、ユーザはカメラに対して姿勢を変更する。よって、測定値の品質は、位置誤差によって影響される。
【０００９】
最後に、デスクトップコンピュータ、ラップトップコンピュータ、タブレットコンピュータ、又は携帯電話のカメラ及びスクリーンは概して、デバイスの不可欠な構成要素であり、よって、この姿勢においてスクリーンはユーザの視野の外にあるため、或るパラメータの測定値、例えば、ユーザの側面の視界からの装用時前傾角を複雑にする。
【発明の概要】
【発明が解決しようとする課題】
【００１０】
視力矯正器具の少なくとも１つの個別化パラメータを判定する方法の必要性が存在し、この方法は、例えば、ユーザの自宅においてリモートに実装され、及びこの方法は、少なくとも１つの個別化パラメータの信頼できる測定値を提供する。
【００１１】
視力矯正器具の少なくとも１つの個別化パラメータを判定する方法の必要性が存在し、この方法は、実装するために数十分又は数時間の時間を要し、並びに、ユーザの一部に関する追加費用なしで、１０分若しくは数十分の限られた時間で測定することができない、或る個別化パラメータが考慮されることを可能にする。例えば、測定値の精度を改善するために、時間とともに拡張して複数回を連続して取得された瞳孔間距離測定値、高さ測定値などを平均化することが望ましい。
【課題を解決するための手段】
【００１２】
上述した従来技術の欠点を改善するために、本発明は、測定が画像捕捉端末から実行され、及び検査された後にリモートに検証される検眼方法を提供する。
【００１３】
より具体的には、本発明に従って、グラフィカルインタフェースと、画像センサを備えた画像捕捉装置と、オーディオビジュアル通信手段とを備える電子端末を使用して、ユーザに対する視力矯正器具の個別化パラメータの少なくとも１つの値を判定する方法が提供され、方法は、
ａ）画像捕捉装置によって、ユーザの少なくとも１つの画像又は映像シーケンスを捕捉するステップと、
ｂ）ステップａ）において捕捉された前記少なくとも１つの画像又は映像シーケンスを、前記電子端末からリモートに位置するリモートアシスタンスセンタに通信するステップであって、前記リモートアシスタンスセンタは、少なくとも１つの検査端末を備える、ステップと、
ｃ）前記リモートアシスタンスセンタによって、ステップｂ）において送信された前記少なくとも１つの画像又は映像シーケンスの処理を検査して、前記画像捕捉装置の前にいる前記ユーザの位置、姿勢又は一連の動きに基づいて、それらから、捕捉された画像又は映像シーケンスの補正命令又は検証命令を推測するステップと、
ｄ）リモートアシスタンスセンタからユーザの電子端末に、前記補正又は検証命令を通信するステップと、
ｅ）前記電子端末が、前記画像若しくは映像シーケンスの捕捉の検証を前記ユーザに通知し、又は前記補正命令に従って、前記画像捕捉装置に対して前記ユーザ自身を位置決めさせ、若しくは移動させることを前記ユーザに要求する映像若しくは音声メッセージを表示若しくは発行するステップと、
ｆ）検証された画像又は映像シーケンスが取得されるまで、先行のステップを繰り返すステップと、
ｇ）前記捕捉及び検証された少なくとも１つの画像又は映像シーケンスに応じて、前記個別化パラメータの少なくとも１つの値を判定するステップと
を含む。
【００１４】
本発明の方法は、端末によってリモートに捕捉された画像が検証されること、及び視力矯正器具の少なくとも１つの個別化パラメータの値が判定されることを可能にする。
【００１５】
よって、方法は、検眼器具を発見することができる場所をユーザが訪問することを必要とするそのような特定の且つ高価な検眼器具の使用を回避する。それにも関わらず、方法によって、ユーザが測定値をリモートにとることを支援する、適格者によって検査される個別化パラメータ値を取得することが可能になる。
【００１６】
有利には、前記少なくとも１つの個別化パラメータは、
−  瞳孔間距離、又は左若しくは右の片眼瞳孔間距離パラメータと、
−  ユーザの顔の形状パラメータと、
−  ユーザの姿勢パラメータと、
−  ユーザの動的動き関連行動パラメータと、
−  メガネフレーム内の矯正レンズの中心化パラメータと、
−  フレームと関連付けられた基準枠内の瞳孔の中心の位置、又は目のＣＲＥを特徴付けるパラメータと、
−  交点パラメータ、例えば、レンズ−目距離と、
−  フレームの、器具の、顔内のレンズの、又は周囲の基準枠の位置又は傾きを特徴付けるパラメータ、例えば、顔の形状角度又は装用時前傾角と、
−  顔の基準枠内のフレームの調節パラメータと
のうちの１つを含む。
【００１７】
より正確には、１つ以上の顔の形状パラメータによって、正方形、丸形、長方形、卵型などの事前定義された形状の組から、顔の全体的な形状を判定し、及び／又はメガネフレームの調節パラメータが判定されることが可能になることがある。ユーザの姿勢パラメータによって、真っ直ぐの遠方視界姿勢、近見の読書姿勢、コンピュータ上で作業しているときになされる姿勢などの、事前定義された姿勢の組から姿勢を判定することが可能になる。ユーザの動き関連行動パラメータは、第１の姿勢から別の姿勢への動き、正面から背後への頭の頷く動き、垂直軸周囲の頭の旋回の動きなど、事前定義された動きの組の１つからのパラメータを表す。中心化パラメータは、メガネフレームに対するレンズの位置を特徴付けるパラメータ（特に、フレームに対するレンズの位置を特徴付けるパラメータを含む）が判定されることを可能にする。
【００１８】
以下は、本発明に従った方法の非限定的且つ有利な特徴であり、
−  ステップｄ）において、リモートアシスタンスセンタは、それぞれ、前記少なくとも１つの画像又は映像シーケンスが、求められる個別化パラメータの値の判定に少なくとも貢献するために十分である場合は検証命令を送出し、又は逆の場合は補正命令を送出し、
−  ステップｄ）において、リモートアシスタンスセンタは、画像捕捉装置の前の目の中心化位置、ユーザの姿勢、画像捕捉装置の画像センサに対するユーザの一連の動き、又は検証された画像を取得するために端末によって提示され、及び着用者によって実行されるプロトコルへの適合性を補正する補正命令を送出し、
−  ステップａ）〜ｅ）の繰り返しの間、リモートアシスタンスセンタによって送出された補正命令によって、ユーザに送出されたメッセージが、一連の固視若しくは目の追跡、並びに／又はユーザのフランクフルト水平面（Ｆｒａｎｋｆｕｒｔ  ｐｌａｎｅ）及び／若しくサジタル平面（ｓａｇｉｔｔａｌ  ｐｌａｎｅ）が画像捕捉装置の光学軸の事前定義された角度に方向付けられる一連の姿勢を採用するか、又は検証された画像を取得するために端末によって提示されるプロトコルに従い、及びそれを実行するようにユーザを誘導し、
−  ステップａ）は、画像捕捉装置が、リモートに検証される一連の姿勢におけるユーザの映像シーケンスの映像記録をとることを含み、
−  画像捕捉装置の前にいるユーザの一連の姿勢によって、ユーザのフランクフルト水平面及びサジタル平面が、画像捕捉装置の光学軸に対して、事前定義された閾値よりも小さい角度をなし、及びステップｇ）において、瞳孔間距離又は片眼瞳孔間距離が算出され、
−  ユーザが画像捕捉装置の前で行う一連の固定によって、固定された対象の方向で、注視の方向が（任意選択の）事前定義された閾値よりも小さい角度になり、
−  ステップｄ）において、音声−映像リモートアシスタンスは、好ましくは、ユーザの目に近接して位置する、既知のサイズの要素の少なくとも１つの画像、例えば、フレームに止められたクリップを捕捉すること、又は瞳孔間距離がすでに既知であるユーザの瞳孔間距離を表す画像を捕捉すること、又は輻輳を矯正するために既知の読書距離を測定すること、又は少なくとも１つの事前定義された幾何学的寸法を有するフレームの画像を捕捉すること、を含む再スケーリング命令をユーザに通信することを含む。
【００１９】
好ましくは、ユーザ及びリモートアシスタンスセンタの一員は、直接リンク上でインタフェースする。この直接リンクによって、特に、容易に自動化が可能でない比較的複雑なケースでユーザを支援することが可能になる。この直接リンクによってさらに、クライアントが種々のステップを正確に続行し、及び検証することを再確認することを可能にするサービスを、クライアントに提供することが可能になる。
【００２０】
有利には、音声−映像リモートアシスタンスのステップｄ）は、以下のサブステップ：
−  リモートアシスタンスセンタが、ユーザの端末のグラフィカルインタフェースに、映像ストリーム若しくは既知の画像を送信するステップ、
−  この映像ストリーム又はこの既知の画像に応答して、ユーザの顔又は少なくとも１つの目の画像を捕捉するステップ、及び／又は
−  リモートアシスタンスセンタによる前記映像ストリーム又は前記既知の画像の送信に対するユーザの顔又は少なくとも１つの目のこの応答が意味をなすかを検査するステップ
を含む。
【００２１】
有利には、
−  ステップｇ）は、前記判定された値を基準値と比較することによって、メガネフレームの幾何学的調節パラメータの値を検証するステップを含み、
−  ステップｇ）は、読書距離、又は注視方向、若しくは頭がどの程度下がっているかを測定するステップを含み、並びに
−  ステップｅ）において端末によって発行されたメッセージは、水平軸の周囲及び／又は垂直軸の周囲でユーザの頭を回転させることのユーザに対する要求を含み、前記少なくとも１つの画像又は捕捉された映像シーケンスの処理は、画像内で、耳珠点などのユーザの耳の目立った点を検出することを含む。
【００２２】
１つの特定の実施形態では、ステップａ）において、少なくとも１つの画像又は映像シーケンスの捕捉の間、ユーザはメガネフレームを備え、
−  端末によって発行されたメッセージは、サジタル平面が画像捕捉装置の軸と位置合わせされる少なくとも１つの第１の姿勢、及びサジタル平面が画像捕捉装置の軸に対し非ゼロの角度になる少なくとも１つの第２の姿勢にユーザがガイドされることを可能にし、並びに、
−  画像又は映像シーケンスは、それらの２つの姿勢において検証される。
【００２３】
有利には、方法は、複数の言語からユーザに対する言語を選択する追加ステップを含み、並びに検証及びユーザガイダンスメッセージの組は記録されており、各メッセージは、複数の言語のうちの言語の各々におけるそのオーディオビジュアルの実装に情報的に結び付けられ、メッセージは、リモートアシスタンスセンタによって送出された命令に応じて、及びユーザによって選択された言語で、端末によってユーザに送出される。
【００２４】
有利には、リモートアシスタンスセンタ（２２）によって、ステップｂ）において送信された前記少なくとも１つの画像又は映像シーケンスを処理するステップｃ）、及び／又はリモートアシスタンスセンタ（２２）からユーザの電子端末（２）に、前記補正若しくは検証命令を通信するステップｄ）は、自動化システムによって、若しくはデジタル署名を処理する光学技術者によって実行される。
【００２５】
添付図面に関して与えられ、及び非限定的な方法による以下の詳細な説明は、本発明及びそれがどのように実装され得るかをより良好に理解することを可能にする。
【図面の簡単な説明】
【００２６】
【図１】本発明の方法の例示的な実装形態を概略的に示す。
【図２】本発明の別の例示的な実装形態に従った、視界姿勢の近くにある対象を手に保持する個人の側面像及び端末の図である。
【図３】本発明の一実施形態に従った方法のステップのフローチャートを示す。
【発明を実施するための形態】
【００２７】
デバイス
図１は、個人１又はユーザに意図される視力矯正器具の個別化パラメータの少なくとも１つの値を判定又は測定するために使用されるデバイスの要素を概略的に示す。
【００２８】
デバイスは、一方に、オーディオビジュアル端末２を備え、他方に、検査端末１２を備え、それらは相互にリモートに位置し、及びインターネット又は別のタイプのネットワークなどの電気通信手段によって情報処理システム１８に接続される。
【００２９】
ユーザのオーディオビジュアル端末２は、表示スクリーン３、カメラ４、及び拡声器５又はヘッドホンの組などの音声周辺機器を備える。オーディオビジュアル端末２は、コンピュータキーボード６若しくはマウス７などのインタフェース手段を備えたデスクトップ若しくはラップトップコンピュータ、又はタッチスクリーン及び／若しくは音声制御を備えたタブレットコンピュータから構成されてもよい。
【００３０】
検査端末１２は、表示スクリーン１３、及びコンピュータキーボード１６若しくはマイクロフォン１５などのインタフェース手段を備える。検査端末１２は、情報処理システム１８のインタフェースを備えてもよい。
【００３１】
有利には、検査端末１２は、リモートアシスタンスセンタ２２に位置し、そこでは、適格者１１は、検査端末の種々のインタフェースと対話することが可能である。「リモートアシスタンスセンタ」という表現は、少なくとも１つの検査端末１２、及びこの検査端末１２を使用することに適格な一人の人１１を備えた技術的手段及び人的資源の集合を意味すると理解される。
【００３２】
リモートアシスタンスセンタ２２は、１つ以上の検査端末を備えてもよい。一人の適格者１１は、１つ以上の検査端末１２を操作してもよい。複数の検査端末１２は、同一の情報処理システム１８に接続されてもよい。複数の検査端末１２を操作することに適格な複数の人１１は、１つのリモートアシスタンスセンタ２２で作業してもよい。
【００３３】
図２は、電気通信手段２０によって情報処理システム１８に接続される、オーディオビジュアル端末２及び検査端末１２の別の例示的な実施形態を示す。
【００３４】
方法
少なくとも１つの個別化パラメータを判定することを求められている個人１は、電子オーディオビジュアル端末２の前に着く。有利には、個人１は、習慣的環境に位置する。代わりに、オーディオビジュアル端末２は、一連の光学技術者の販売場所に位置してもよく、及び専用電気通信ネットワーク２０を介して検査端末１２に接続されてもよい。
【００３５】
代わりに、電子オーディオビジュアル端末２及び検査端末１２は、写真撮影装置などの１つ且つ同一の筐体に統合される。この場合、検査端末１２は、画像を取得し、及び個人１と音声通信する完全自動化処理手段を備える。個人１は、オーディオビジュアル端末２のカメラ４の前に自身を位置付ける。例示的な例として、個人の瞳孔間距離を測定することが望まれる。「瞳孔間距離」（ＩＰＤ）という表現は、２つの目の瞳孔の中心の間の距離を意味すると理解され、並びに「片眼瞳孔間距離」（１／２ＩＤＰ）という表現は、１つの目の瞳孔の中心と鼻又はサジタル平面との間の距離を意味すると理解される。
【００３６】
個人１は、カメラ４によって少なくとも１つの画像又は１つの映像シーケンスを取得することが意図されるソフトウェアプログラムを実行する。
【００３７】
ソフトウェアプログラムの開始は、端末によって発行されるオーディオビジュアルメッセージが、ユーザによって選択された言語で表現されるように、複数の言語からユーザに対する言語を選択する任意選択の第１のステップを含んでもよい。
【００３８】
測定データの取得を検査することに適格な人１１は、検査端末１２に近接して位置される。好ましくは、適格者１１は、検眼の資格を有する人、又は検眼測定値を得る視野で捕捉された画像の品質を評価する資格を有する光学技術者である。さらに好ましくは、適格者１１は、測定方法によって判定された個別化パラメータ値を正式に検証するために、証明の署名又は印を付け加える資格を有する。検査端末１２によって使用される言語は、ユーザによって選択される言語と必ずしも同一ではなく、情報処理システム１８は、複数の言語においてオーディオビジュアル端末２と検査端末１２との間の通信を有効にするように構成される（検査端末及びユーザの電子端末のそれぞれに対し）。
【００３９】
検査端末によって、適格者１１が、例えば、オーディオビジュアル端末２のカメラ４によって捕捉された画像２４又は映像シーケンスを見ることが可能になる。情報処理システム１８は、個別化パラメータの少なくとも１つの値が、適格者１１によって検証される画像又は画像シーケンスから抽出されることを可能にするデジタル処理手段を備える。
【００４０】
適格者１１は、オーディオビジュアル端末２からのオーディオ及び／又はビジュアルメッセージの発行をリモートにトリガするために、１つ以上の命令を検査端末１２に入力することによって、ユーザ１と対話してもよい。
【００４１】
データベースは、情報処理システム１８にロードされてもよく、又は「プラグイン」の形式で電子端末２にローカルにロードされてもよい。このデータベースは、一連の制御命令を備え、各制御命令は、その情報が端末２上で表されることを意図するメッセージと関連付けられる。特に有利には、各メッセージは、その情報が、ユーザに提供される複数の言語の各言語におけるそのオーディオビジュアルの実装に結び付けられ、メッセージは、リモートアシスタンスセンタによって送出された命令と通信して、及びユーザ１によって選択された言語で、端末２によってユーザ１に送出される。同様に、一連の制御命令の各命令は、その情報が、検査端末１２に利用可能な複数の言語の各言語におけるその遷移及びその実装に結び付けられる。
【００４２】
例えば、適格者は、検査端末１２のスクリーン１３上に表示されたボタンを介して検証命令を入力し、それによって、ユーザの端末２のスクリーン３上で、視覚メッセージ、例えば、ＯＫの表示をトリガする。別の例では、非検証命令は、音声警告信号メッセージの発行、並びに、例えば、ユーザによって選択されたショートテキストが伴うフラッシュ矢印の画像を表示する映像ストリームの形式をとるスクリーン３上での視覚メッセージ、例えば、フラッシュ矢印によって示される方向で頭を傾けることをユーザに要求するテキストメッセージの表示をトリガする。
【００４３】
よって、データベースは、適格者による命令入力と、ユーザの端末によって発行されるメッセージ若しくは一連のメッセージとの間の情報及び言語対応を保証する。よって、データベースは、発行又は表示されたメッセージを、ユーザの言語に自動的に変換する。
【００４４】
また、逆方向、すなわち、ユーザ１からリモートアシスタンスセンタ２２への通信の提供がされる。この目的のために、データベースは、一連のユーザ制御命令を備え、各ユーザ制御命令は、その情報が、リモートアシスタンスセンタ２２の検査端末１２上で表されることを意図するメッセージと関連付けられる。好ましくは、各ユーザ制御命令は、その情報が、検査端末１２に利用可能な複数の言語の各言語におけるその実装に結び付けられる。
【００４５】
例えば、ユーザは、命令又は質問を、この命令又は質問の変換、並びに適格者の検査端末１２へのメッセージの送信をトリガする端末に入力してもよい。例えば、ユーザは、適格者に利用可能な言語に変換される、検査端末１２上の「補助の要求」メッセージの表示をトリガする「？」ボタンを押下してもよい。
【００４６】
例示的な例として、個人の瞳孔間距離パラメータを測定することが望まれる。個人１は、画像取得プログラムを開始する。第１の捕捉された画像は、電気通信手段２０を介してリモートアシスタンスセンタ２２又はリモート処理センタに送信される。検査端末１２のスクリーン１３上で、捕捉された画像２４、及びこの画像の品質を評価するための少なくとも１つのインジケータが表示される。品質インジケータは、情報処理システム１８によって計算されてもよく、又は適格者１１によって評価及び入力されてもよい。
【００４７】
適格者１１は、捕捉された画像の品質を評価すること、及び瞳孔間距離測定のためにこの画像を検証すること、又はしないことに関与してもよい。方法は、情報処理システム１８に事前に記録された１つ以上の品質基準に必ずしも依存しないが、適格者１１の能力及びノウハウに応じて、適格者１１により捕捉された画像の品質の主観的な評価にも依存することがある。
【００４８】
例として、画像又は個人の頭の不正確な傾きの構成誤りのために、第１の画像が瞳孔間距離測定に適切でないと想定されたい。
【００４９】
適格者１１は、例えば、キーボード１６又は検査端末１２の別の周辺機器を介して、第１の捕捉された画像を検証しないことを示す命令を入力する。
【００５０】
自動的に、又はリモートに位置する適格者１１からのコマンドで、情報処理システム１８はこの非検証命令を処理する。より正確には、情報システムは、ユーザの言語における非検証命令に対応するデータベースの「メッセージ」フィールドを示す。情報処理システム１８は、非検証命令に対応するオーディオビジュアルメッセージの端末２への送出をトリガし、送出されるメッセージは、例えば、拡声器５によって送出される音声メッセージ、及び／又は表示スクリーン３上に表示される視覚メッセージである。端末２は、視覚メッセージを表示し、及び／又は補正命令に従ってユーザ自身を位置決め、又は移動させることをユーザに要求する音声メッセージを発行する。有利には、適格者は、カメラの前で姿勢を修正することをユーザ１にガイドしてもよい。視覚メッセージは、テキストメッセージ、アイコン、又は事前に記録された映像メッセージを備えてもよい。ユーザの再位置決めに続き、カメラ４は、第２の画像又は第２の映像シーケンスを捕捉する。
【００５１】
第２の捕捉された画像は、電気通信手段２０を介してリモートアシスタンスセンタ２２に送信される。
【００５２】
第２の捕捉された画像、及びこの画像の品質を評価するためのインジケータが検査端末１３上に表示される。品質インジケータが品質基準を満たす場合、適格者１１は第２の画像を検証してもよい。適格者１１による検証コマンドの入力が、情報処理システム１８に記録される。情報処理システム１８は、ユーザの言語における検証命令に対応するデータベースのフィールドを示し、及びユーザの端末２への検証メッセージの送信をトリガする。
【００５３】
端末２は、視覚メッセージを表示し、及び／又はユーザ１に画像若しくは映像シーケンスの捕捉を通知する音声メッセージを発行する。
【００５４】
第２の捕捉された画像が品質基準を満たさない場合、情報処理システム１８は、第２の捕捉された画像を検証しないことを示すメッセージを再度送出し、及び画像捕捉方法がユーザによって繰り返され、又は放棄される。
【００５５】
情報処理システム１８は、捕捉され、且つ検証された映像シーケンス又は画像をデジタルで処理し、それらから求められる個別化パラメータの値を抽出する。
【００５６】
ユーザの顔の形状が判定される１つの例では、画像内の顔の輪郭を位置付け、及び例えば、それらを事前定義された幾何学的形状と関連付けるために、画像が処理される。
【００５７】
カメラで撮られた画像に基づく、瞳孔間距離測定などの測定の場合、この測定は、画像のスケールが既知であり、又はスケールを判定することができることを想定する。画像の寸法は、カメラ４の画像センサの光学特性に依存するが、カメラと個人との間の距離にも依存する。
【００５８】
有利には、方法は、追加的なスケーリングステップを含む。このスケーリングは、画像の領域、好ましくは、個人の顔と同一の画像面に位置する既知のサイズの対象を有するユーザの顔の画像を捕捉することによって実行されてもよい。例えば、適格者は、端末２のインタフェースを介して、目盛り付きルーラ又は検査パターンサイズを額に配置することをユーザに要求してもよい。代わりに、ユーザが、少なくとも１つの事前定義された幾何学的寸法を有するメガネフレームを自由に有している場合、スケーリングステップは、この事前定義された幾何学的寸法を特徴付けるメガネフレームの画像を捕捉するステップを含んでもよい。情報処理システム１８は、検査パターン又は既知のサイズの対象の画像を処理して、それらから、所与の機能的な距離に対するカメラの倍率を推測する。
【００５９】
有利には、画像又は捕捉された映像シーケンスに適用される画像処理は、画像内で、耳珠点などのユーザの耳の目立った点を検出することを備える。この画像処理の目的は、例えば、カメラの軸がユーザのフランクフルト水平面に位置する測定姿勢を判定することであり、フランクフルト水平面は、現状ではそれ自体が周知である目の眼窩下縁及び耳珠点によって定義される解剖学的面である。実際に、適格者１１は、各目の眼窩下縁及び耳珠点が、合計して画像内の同一の高さに位置すると言える、カメラの瞳孔と位置合わせされる。１つのプロトコルは、例えば、第１の前面画像を捕捉することをユーザ１に要求し、次いで、フランクフルト水平面がカメラの軸に水平に位置合わせされるまで頭を上下に傾けることをユーザ１に要求する適格者１１にある。任意選択で、適格者１１が耳珠点をよりよく見ることを可能にし、よってユーザ１の姿勢を改善することを可能にするために、この位置合わせに、ユーザ１の左右への回転が続いてもよい。特に、耳珠点は概して、前面画像では見ることができないが、コンサルタントは耳のそれから位置を推定することができる。この測定姿勢によって、目とのカメラレベルでの起立した姿勢における従来の測定値にほぼ等しい、フレームの下縁に対する目の高さの測定値を取得することが可能になる。この測定姿勢によって特に、例えば、高さの測定値が、カメラの軸とフランクフルト水平面との間の過度な角度によって誤りが発生する姿勢を回避することが可能になる。これは、フレームなしで、例えば、フレームの仮想的な試着に対し、フレームの表現とユーザの顔の画像との間の仮想的な適合から、その高さが推測されるのを可能にする画像処理に適用されてもよい。そのようなフレームなし測定は確かに近似するが、それでもなお、除去されることになる重要な誤差の元を許容する。代わりに、測定は、より高い品質のために実際のフレームで実行されてもよい。
【００６０】
有利には、リモートアシスタンスセンタの適格者１１は、実行されることになる検査及び測定に応じて、ユーザを種々の測定姿勢にガイドしてもよい。
【００６１】
同様に、サジタル平面がカメラの軸と平行となるユーザの姿勢を判定することも可能である。
【００６２】
特に有利には、１つの測定姿勢は、ユーザのサジタル平面及びフランクフルト水平面がカメラの軸と位置合わせされる姿勢に対応する。
【００６３】
非限定的な例として、一般的な姿勢の上述した高さを測定するための姿勢とは別に、片眼瞳孔間距離を測定するための姿勢、目−レンズ距離（ＥＬＤ）を判定し、又は所与の視界姿勢におけるメガネの装用時前傾角を測定するための姿勢又は一連の動きへの言及がなされてもよい。
【００６４】
一般的な姿勢：
リモートアシスタンスセンタ又は自動化工場の適格者１１又はコンサルタントは、ステップｃ）において、例えば、スクリーンに向かって、着用者が単にそれに触れるような方法で腕を伸ばすことを着用者に依頼することによって、又は例えば、ユーザ１の顔が画像内の最小空間を占有していることを検査することによって、着用者が、閾値よりも大きくスクリーンから離れていることを検証する。適格者１１はまた、スケーリングの要素が存在する場合、それが正確に位置決めされていること、及び／又はユーザ１の頭が、事前設定された閾値よりも大きいピッチ角をなすように傾けていないことを検証する。最後に、コンサルタント１１は、例えば、人差し指でカメラを指し示すことをユーザ１に依頼することによって、ユーザ１が実際にカメラ４を見ていることを検証する。スケーリング命令は、例えば、カメラに対する着用者の位置を検査すること、並びに／又はスケーリング要素（クリップ、フレーム若しくは既知のサイズの他の要素）が存在し、及び正確に位置決めされているかを検査することを備える。
【００６５】
片眼瞳孔間距離の測定に対する姿勢：
コンサルタント１１は、例えば、ユーザ１の顔が実際にカメラ４に対向して位置決めされているかを検証することによって、姿勢、より正確には着用者の頭（頭の先端）の傾きの角度が、片眼瞳孔間距離を正確に測定するのに適切であるか否かを判定することが可能な映像シーケンスの送信をトリガする。この測定ステップは、この頭（頭の先端）の傾きの角度が推定されることを可能にする（例えば、ｄｅｖｉｃｅ  Ｓｅｅｉｎｇ  Ｍａｃｈｉｎｅを使用して）アルゴリズムを使用して自動化されてもよい。適格者１１は、ユーザ１に送信された命令が、取得されることになるゼロの傾きの角度（ゼロの頭の先端）を可能にしていたとき、又は傾きの角度が事前定義された閾値よりも小さいときのいずれかで、測定姿勢を検証する。
【００６６】
目−レンズ距離（ＥＬＤ）を判定するための姿勢：
この姿勢は、例えば、処理システムが、適格者１１を有するリモートアシスタンスセンタ、又は完全自動化システムのいずれかである図２に示される。
【００６７】
個人１は、レンズを備えたメガネフレーム８を着用する。非限定的な例として、測定の間にユーザ１によって着用されたメガネフレーム８は、古いメガネフレーム、又は例えば、装用時前傾角を検査するために新たに受けられる視力矯正器具の一部であってもよい。
【００６８】
適格者１１は、カメラ４を見ることをユーザ１に依頼し、及びＥｓｓｉｌｏｒ  Ｖｉｓｉｏｆｆｉｃｅ器具の前でなされる動きと同様に、頭を回転させることをユーザ１に依頼し、次いで、ステップｃ）では、適格者１１は、このパラメータが測定されることを可能にするのに頭の回転が十分であることを保証する。
【００６９】
自動化システムの場合、画像取得及び処理プログラムは、個人によってオーディオビジュアルインタフェースを介して以下のコマンドの入力を開始する。カメラ８は、画像、又は好ましくは一連の画像の取得を開始する。この取得の間、個人は、約５度前後の大きさで左から右への頭の旋回の動きをなし、それによって、一連の画像の少なくとも１つの画像がユーザの側面像に対応する。画像処理システムは、ユーザの姿勢を分析するために、例えばリアルタイムで画像を処理する。処理システムは、ユーザの側面像３１に対応する画像を選択する。特に有利には、自動処理システムは、個人がカメラの視野に十分に離れるように、及び個人が頭部の姿勢、すなわち、左から右、及び／若しくは前方から背後への頭の傾きを修正するように個人をガイドするために、音声メッセージを発行する。
【００７０】
よって、取得された画像３１が、例えば、５度前後超内の側面像に事実上対応し、及び例えば、４分の３の像に事実上対応しないことを後者が検証するように、ユーザは処理システムによってガイドされる。
【００７１】
カメラ４は任意選択で、個人が、本又はタブレットコンピュータなどの対象９を手に保持するときに、個人の姿勢、例えば、近方視界姿勢が分析されることを可能にするために、頭及び１つの腕を備える個人の側面画像を捕捉するのに適切なズームを有する。
【００７２】
有利には、図２に示すように、システムは、取得された画像内の個人の顔の位置、及び右目ＯＤ若しくは左目ＯＧの位置などの或る特定の点の位置を判定し、並びにメガネの輪郭の位置を検出することを可能にする、顔認識手段を備える。
【００７３】
画像処理システムはまた、中間視界又は近方視界の注視に対するターゲットとして使用される対象の画像３９、及び対象９と関連付けられた基準枠（ＯＸ、ＯＹ、ＯＺ）の位置を検出するように構成される。
【００７４】
画像内のそれらの特定の点の識別から、処理システムは、例えば、画像３１内で、画像捕捉の視界状態、例えば、近見若しくは中間視界状態の下の傾いたフランクフルト解剖学的面ＰＦＩ、又は遠方視界状態の下の水平フランクフルト解剖学的面ＰＦＨの位置及び方位を自動的に判定するように構成される。
【００７５】
それ自体が公知であるとして、処理システムは、画像３１内の視差誤差を補償することが可能である。
【００７６】
よって、頭若しくは目ＯＤの１つ、個人のＯＧ、及び対象９の間の距離ＤＤ、ＤＧ、例えば、より正確に、目ＯＤの回転の中心、個人のＯＧ、及び対象９の間の距離ＤＤ、ＤＧなどの頭部姿勢パラメータがまた測定される。
【００７７】
例えば、既知のサイズの対象の画像の取得を介して、目盛り付きルーラ又はクレジットカードなど、既知の方法を使用して、距離測定値が校正される。
【００７８】
また、以下の幾何学的パラメータ、すなわち、レンズ保持面ＰＭ、及び観察直線ＤＯＤ、個人の目ＯＤ、ＯＧの１つを対象９の特定の点ＯにつなぐＤＯＧのうちの１つを判定することの提供がなされてもよい。
【００７９】
よって、画像内の、メガネのレンズ３８の保持面ＰＭと、識別された視界姿勢における垂直線Ｖとの間の装用時前傾角の少なくとも１つを測定することの提供もなされてもよい。或る個別化パラメータの測定の場合、ユーザ１は、視力矯正器具、又はデモンストレーションフレームを着用しない。他の個別化パラメータの測定の場合（例えば、特定のフレームに対するレンズの中心化）、又は製造後のメガネの適合を検査するために、画像又は映像シーケンスの捕捉の間にユーザがメガネを着用している必要がある。
【００８０】
端末２上のオーディオビジュアルメッセージは、メガネ８をかけ、若しくはメガネ８を外すこと、又は矯正レンズを欠いたデモンストレーションフレームをかけることをユーザに要求するメッセージを備えてもよい。或る視界姿勢、例えば、近方視界読書姿勢の測定の場合、オーディオビジュアルメッセージは、本などの対象９を拾い上げることをユーザに勧めてもよい。
【００８１】
リモートアシスタンス検査ステップは、メガネを外し、若しくはかける命令、又は矯正レンズなしのフレームをかける命令が実行されたことを検証するステップを含んでもよい。
【００８２】
専門家によって検眼器具で実行される従来の検眼測定値と比較して、リモートアシスタンス方法は、より長い時間を要する測定、及び追加コストなしで取得される一連の測定値の平均である測定がされることを可能にする。
【００８３】
よって、ユーザが測定に費やすことを望む時間の長さは、方法の開始においてユーザによって定義及び入力されてもよく、又はリモートのコンサルタントによって記録されてもよい。この時間の長さに応じて、方法が開始されると、実行されることになる個別化測定の選択が提供又は定義されてもよい。実行されることになる個別化測定の選択はまた、検出又は示されたライフスタイル（読書の代わり、且つ遠方視界で、コンピュータで作業している人など）に応じて定義されてもよい。方法の別の利点は、ユーザの状態、又は視界パラメータにおける変動を考慮するために、種々の測定を一時的に分離する、すなわち異なる時刻で種々の測定値を撮ることを可能にすることである。
【００８４】
有利には、適格者１１は、方法の期間を通して、特に画像捕捉ステップの前に、連続して介入することが要求されない。適格者１１による介入は、画像若しくは一連の画像の検証、又は非検証のステップの間に要求され、任意選択で、視界を有する姿勢を新たな取得に修正するようユーザをガイドするために要求される。
【００８５】
所与の検査端末１２から、複数のユーザ、別個の端末１１の前に位置する各ユーザを並列して所与の適格者１１が検査することが可能である。この場合、適格者１１は、ユーザの各々に連続して、且つ断続的に支援を提供する。
【００８６】
適格者１１による介入はまた、情報処理システムによる画像処理の後、１つ以上の求められる個別化パラメータが判定された後、並びに情報処理システムによって判定された個別化パラメータの正式検証及び／又はデジタル署名のためのプロトコルの終わりに要求されてもよい。よって、リモートコンサルタントは、「ドアツードア」の光学技術者の役割を果たす。
【００８７】
有利には、データベースは、個別化パラメータ値がユーザ、及び記録されることになる定義された測定条件と関連付けられることを可能にする。
【００８８】
次いで、視力矯正レンズの一連の光学技術者又は製造者は、適格者によって検証されたそれらの個別化パラメータ測定の結果を収集して、ユーザの要件を満たす視力矯正器具の製造の開始時にそれらを利用することができる。個別化パラメータ値は、特に、個人の視力を矯正するために必要とされる湾曲、軸、及び円筒の値を備える、個人の眼科測定など、他の測定によって、この目的のために補償されてもよい。
【００８９】
リモートアシスタンス方法によって、検査された販売前の段階で、個別化パラメータの少なくとも１つの値を判定することが可能になる。このリモートアシスタンス方法は、光学技術者の時間を節約する。
【００９０】
方法はまた、ユーザのためにメガネの適合を検査するために、矯正メガネが製造された後に適用されてもよい。
【図１】
2016525916.tif 000003
【図２】
2016525916.tif 000004
【図３】
2016525916.tif 000005
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
グラフィカルインタフェースと、画像センサを備えた画像捕捉装置と、オーディオビジュアル通信手段とを備える電子端末を使用して、ユーザに対する視力矯正器具の個別化パラメータの少なくとも１つの値を判定する方法であって、
ａ）前記画像捕捉装置によって、前記ユーザの少なくとも１つの画像又は映像シーケンスを捕捉するステップと、
ｂ）ステップａ）において捕捉された前記少なくとも１つの画像又は映像シーケンスを、前記電子端末からリモートに位置するリモートアシスタンスセンタに通信するステップであって、前記リモートアシスタンスセンタは、少なくとも１つの検査端末を備える、ステップと、
ｃ）前記リモートアシスタンスセンタによって、ステップｂ）において送信された前記少なくとも１つの画像又は映像シーケンスの処理を検査して、前記画像捕捉装置の前にいる前記ユーザの位置、姿勢、又は一連の動きに基づいて、それらから、捕捉された画像又は映像シーケンスの補正又は検証命令を推測するステップと、
ｄ）前記リモートアシスタンスセンタから前記ユーザの前記電子端末に、前記補正又は検証命令を通信するステップと、
ｅ）前記電子端末が、前記画像若しくは映像シーケンスの捕捉の検証を前記ユーザに通知し、又は前記補正命令に従って、前記画像捕捉装置に対して前記ユーザ自身を位置決めさせ、若しくは移動させることを前記ユーザに要求する映像若しくは音声メッセージを表示若しくは発行するステップと、
ｆ）検証された画像又は映像シーケンスが取得されるまで、先行のステップを繰り返すステップと、
ｇ）前記捕捉及び検証された少なくとも１つの画像又は映像シーケンスに応じて、前記個別化パラメータの少なくとも１つの値を判定するステップと
を含む、方法。
【請求項２】
前記少なくとも１つの個別化パラメータは、
−  瞳孔間距離、又は左若しくは右の片眼瞳孔間距離パラメータと、
−  ユーザの顔の形状パラメータと、
−  ユーザの姿勢パラメータと、
−  前記ユーザの動的行動パラメータと、
−  メガネフレーム内の矯正レンズの中心化パラメータと、
−  前記フレームと関連付けられた基準枠内の瞳孔の中心の位置、又は目のＣＲＥを特徴付けるパラメータと、
−  交点パラメータ、例えば、レンズ−目距離と、
−  前記フレームの、前記器具の、顔内の前記レンズの、又は周囲の基準枠の位置又は傾きを特徴付けるパラメータ、例えば、顔の形状角度又は装用時前傾角と、
−  顔の基準枠内の前記フレームの調節パラメータと
のうちの１つを含む、請求項１に記載の方法。
【請求項３】
ステップｄ）において、前記リモートアシスタンスセンタは、それぞれ、前記少なくとも１つの画像又は映像シーケンスが、前記求められる個別化パラメータの前記値の判定に少なくとも貢献するために十分である場合は検証命令を送出し、又は逆の場合は補正命令を送出する、請求項１又は２に記載の方法。
【請求項４】
ステップｄ）において、前記リモートアシスタンスセンタは、前記画像捕捉装置の前の前記目の中心化位置、前記ユーザの姿勢、前記画像捕捉装置の前記画像センサに対する前記ユーザの一連の動き、又は検証された画像を取得するために前記端末によって提示され、及び着用者によって実行されるプロトコルへの適合性を補正する補正命令を送出する、請求項１〜３のいずれか一項に記載の方法。
【請求項５】
−  ステップａ）〜ｅ）の繰り返しの間、前記リモートアシスタンスセンタによって送出された前記補正命令によって、前記ユーザに送出された前記メッセージが、一連の固視若しくは目の追跡、並びに／又は前記ユーザのフランクフルト水平面及び／若しくはサジタル平面が前記画像捕捉装置の光学軸の事前定義された角度に方向付けられる一連の姿勢を採用するか、又は検証された画像を取得するために前記端末によって提示されるプロトコルに従い、及びそれを実行するようにユーザを誘導し、
−  ステップａ）は、前記画像捕捉装置が、前記リモートに検証される一連の姿勢における前記ユーザの映像シーケンスの映像記録をとることを含む、請求項１〜４のいずれか一項に記載の方法。
【請求項６】
前記画像捕捉装置の前にいる前記ユーザの前記一連の姿勢によって、前記ユーザの前記フランクフルト水平面及び前記サジタル平面が、前記画像捕捉装置の前記光学軸に対して、事前定義された閾値よりも小さい角度をなし、及びステップｇ）において、瞳孔間距離又は片眼瞳孔間距離が算出される、請求項１〜５のいずれか一項に記載の方法。
【請求項７】
ステップｄ）において、音声−映像リモートアシスタンスは、好ましくは、前記ユーザの前記目に近接して位置する、既知のサイズの要素の少なくとも１つの画像を捕捉すること、又は瞳孔間距離がすでに既知であるユーザの瞳孔間距離を表す画像を捕捉すること、又は輻輳を矯正するために既知の読書距離を測定すること、又は少なくとも１つの事前定義された幾何学的寸法を有するフレームの画像を捕捉すること、を含む再スケーリング命令を前記ユーザに通信することを含む、請求項１〜６のいずれか一項に記載の方法。
【請求項８】
音声−映像リモートアシスタンスのステップｄ）は、以下のサブステップ：
−  前記リモートアシスタンスセンタが、前記ユーザの前記端末の前記グラフィカルインタフェースに、映像ストリーム又は既知の画像を送信するステップと、
−  前記映像ストリーム又は前記既知の画像に応答して、前記ユーザの前記顔又は少なくとも１つの目の画像を捕捉するステップと
を含む、請求項１〜７のいずれか一項に記載の方法。
【請求項９】
ステップｇ）は、前記判定された値を基準値と比較することによって、メガネフレームの幾何学的調節パラメータの値を検証するステップを含む、請求項１〜８のいずれか一項に記載の方法。
【請求項１０】
ステップｇ）は、読書距離、又は注視方向／前記頭がどの程度下がっているかを測定するステップを含む、請求項１〜９のいずれか一項に記載の方法。
【請求項１１】
ステップｅ）において前記端末によって発行された前記メッセージは、水平軸の周囲及び／又は垂直軸の周囲で、前記ユーザの頭を回転させることの前記ユーザに対する要求を含み、前記少なくとも１つの画像又は捕捉された映像シーケンスの前記処理は、前記画像内で、耳珠点などの前記ユーザの耳の目立った点を検出することを含む、請求項１〜１０のいずれか一項に記載の方法。
【請求項１２】
−  ステップａ）において、少なくとも１つの画像又は映像シーケンスの前記捕捉の間、前記ユーザはメガネフレームを備え、
−  前記端末によって発行された前記メッセージは、前記サジタル平面が前記画像捕捉装置の前記軸と位置合わせされる少なくとも１つの第１の姿勢、及び前記サジタル平面が前記画像捕捉装置の前記軸に対し非ゼロの角度になる少なくとも１つの第２の姿勢に前記ユーザがガイドされることを可能にし、並びに、
−  前記画像又は映像シーケンスは、前記２つの姿勢において検証される、
請求項１〜１１のいずれか一項に記載の方法。
【請求項１３】
複数の言語から前記ユーザに対する言語を選択する追加ステップを含み、検証及びユーザガイダンスメッセージの組が記録されており、各メッセージは、前記複数の言語のうちの前記言語の各々におけるそのオーディオビジュアルの実装に情報的に結び付けられ、前記メッセージは、前記リモートアシスタンスセンタによって送出された前記命令に応じて、及び前記ユーザによって選択された前記言語で、前記端末によって前記ユーザに送出される、請求項１〜１２のいずれか一項に記載の方法。
【請求項１４】
前記リモートアシスタンスセンタによって、ステップｂ）において送信された前記少なくとも１つの画像又は映像シーケンスを処理するステップｃ）、及び／又は前記リモートアシスタンスセンタから前記ユーザの前記電子端末に、前記補正若しくは検証命令を通信するステップｄ）は、自動化システムによって実行される、請求項１〜１３のいずれか一項に記載の方法。
【請求項１５】
前記リモートアシスタンスセンタによって、ステップｂ）において送信された前記少なくとも１つの画像又は映像シーケンスを処理するステップｃ）、及び／又は前記リモートアシスタンスセンタから前記ユーザの前記電子端末に、前記補正若しくは検証命令を通信するステップｄ）は、デジタル署名を処理する光学技術者によって実行される、請求項１〜１４のいずれか一項に記載の方法。
【国際調査報告】
2016525916.tif 000006
2016525916.tif 000007
2016525916.tif 000008
2016525916.tif 000009
2016525916.tif 000010
2016525916.tif 000011